(57)【要約】【課題】マッサージ、ボディブラシ等の機能を発揮可能なアタッチメントが装着可能なシャワー装置を提供する。【解決手段】内部に給水路を有するグリップと、散水板が配置されたシャワー用水室及び該シャワー用水室の背面側に流水により回転可能なフィンが配置されたフィン用水室が設けられているシャワーヘッドとから構成され、該フィン用水室の外表面にはアタッチメントが装着可能な構造が設けられており、かつ、該フィン用水室側にはフィンの回転運動が装着されるアタッチメントに伝達可能な手段が設けられていることを特徴とする、シャワー装置。【選択図】図１
2018075070.tif 000002
【特許請求の範囲】
【請求項１】
内部に給水路を有するグリップと、
散水板が配置されたシャワー用水室及び該シャワー用水室の背面側に流水により回転可能なフィンが配置されたフィン用水室が設けられているシャワーヘッドとから構成され、
該フィン用水室の外表面にはアタッチメントが装着可能な構造が設けられており、
かつ、該フィン用水室側にはフィンの回転運動が装着されるアタッチメントに伝達可能な手段が設けられていることを特徴とする、シャワー装置。
【請求項２】
前記フィン用水室の外表面はアタッチメントが着脱可能な構造であることを特徴とする、請求項１に記載のシャワー装置。
【請求項３】
前記グリップには、シャワー用水室への流入口又はフィン用水室への流入口のいずれかへの切り替え手段が設けられていることを特徴とする、請求項１又は２に記載のシャワー装置。
【請求項４】
前記シャワーヘッドに配置されたシャワー用水室とフィン用水室とは仕切壁により仕切られていて、該シャワー用水室は、シャワー用水室への流入口から流入した流水が散水板の散水孔から噴出可能な構造であり、
該フィン用水室は、フィン用水室への流入口から流入した流水がフィン用ノズルからフィンの羽根部に噴射されて、フィンに回転運動を与えた後に、ドレン流出口から排出可能な構造である、
ことを特徴とする、請求項１から３のいずれか１項に記載のシャワー装置。
【請求項５】
前記フィン用水室側には、装着されるアタッチメント側に回転運動を伝達する手段として、フィン用水室から突出するように配置された、フィンの回転軸と同軸の連動用回転軸（Ａ）が設けられていることを特徴とする、請求項１から４のいずれか１項に記載のシャワー装置。
【請求項６】
前記装着されるアタッチメントが前記フィン用水室側から伝達された回転運動を利用して機能を発揮できるアタッチメントであることを特徴とする、請求項１から５のいずれか１項に記載のシャワー装置。
【請求項７】
前記装着されるアタッチメントが、前記フィン用水室側から伝達された回転運動によって機能を発揮できるアタッチメント、又は前記フィン用水室側から伝達された回転運動を変換して得られる振動運動によって機能を発揮できるアタッチメントであることを特徴とする、請求項１から６のいずれか１項に記載のシャワー装置。
【請求項８】
内部に給水路を有するグリップと、散水板が配置されたシャワー用水室及び該シャワー用水室の背面側に流水により回転可能なフィンが配置されたフィン用水室が設けられているシャワーヘッドとから構成されるシャワー装置に、該フィン用水室の外表面にアタッチメントが装着された多機能シャワー装置であって、
該フィン用水室側にはフィンの回転運動が装着されたアタッチメント側に伝達可能な手段が設けられており、
装着された該アタッチメントが、前記フィン用水室側から伝達された回転運動を利用して機能を発揮できるアタッチメントであることを特徴とする、多機能シャワー装置。
【請求項９】
前記フィン用水室の外表面はアタッチメントが着脱可能な構造であることを特徴とする、
請求項８に記載の多機能シャワー装置。
【請求項１０】
前記グリップには、シャワー用水室への流入口又はフィン用水室への流入口のいずれかへの切り替え手段が設けられていることを特徴とする、請求項８又は９に記載の多機能シャワー装置。
【請求項１１】
前記シャワーヘッドに配置されたシャワー用水室とフィン用水室とは仕切壁により仕切られていて、該シャワー用水室は、シャワー用水室への流入口から流入した流水が散水板の散水孔から噴出可能な構造であり、
該フィン用水室は、フィン用水室への流入口から流入した流水がフィン用ノズルからフィンの羽根部に噴射されて、フィンに回転運動を与えた後に、ドレン流出口から排出可能な構造である、
ことを特徴とする、請求項８から１０のいずれか１項に記載の多機能シャワー装置。
【請求項１２】
前記フィン用水室側には、装着されたアタッチメント側には回転運動を伝達する手段として、フィン用水室から突出するように配置された、フィンの回転軸と同軸の連動用回転軸（Ａ）が設けられており、装着されたアタッチメント側には連動用回転軸（Ａ）と連動する連動用回転軸（Ｂ）が設けられていることを特徴とする、請求項８から１１のいずれか１項に記載の多機能シャワー装置。
【請求項１３】
前記アタッチメントが、前記フィン用水室側から伝達された回転運動によって機能を発揮できるアタッチメント、又は前記フィン用水室側から伝達された回転運動を変換して得られる振動運動によって機能を発揮できるアタッチメントであることを特徴とする、請求項８から１２のいずれか１項に記載の多機能シャワー装置。
【請求項１４】
前記フィン用水室側から伝達された回転運動によって機能を発揮できるアタッチメントがボディブラシアタッチメントもしくは角質ケアアタッチメント、又は前記フィン用水室側から伝達された回転運動を変換して得られる振動運動によって機能を発揮できるアタッチメントがマッサージアタッチメントであることを特徴とする、請求項１３に記載の多機能シャワー装置。
【請求項１５】
前記マッサージアタッチメントは、少なくとも前記フィン用水室側から突出するように設けられたフィンの回転軸と同軸の連動用回転軸（Ａ）に連動して回転運動する連動用回転軸（Ｂ）、回転スプリング、及び偏心回転体がこの順に回転可能に配置されていて、かつ該偏心回転体により回転運動が振動運動に変換され、更に該振動運動がアタッチメント装着面と相対する側の先端部に配置されたマッサージ部材に伝達される手段が設けられているアタッチメントであることを特徴とする、請求項１４に記載の多機能シャワー装置。
【請求項１６】
前記ボディブラシアタッチメントは、少なくとも前記フィン用水室側から突出するように設けられたフィンの回転軸と同軸の連動用回転軸（Ａ）と連動して回転運動する連動用回転軸（Ｂ）、及び該連動用回転軸（Ｂ）の回転速度を減速する減速機構がこの順に配置されていて、かつ該減速機構により減速された回転運動がアタッチメント装着面と相対する側の先端部に配置されたボディブラシ部材に伝達される手段が設けられているアタッチメントであることを特徴とする、請求項１４に記載の多機能シャワー装置。
【請求項１７】
前記角質ケアアタッチメントは、少なくとも前記フィン用水室側から突出するように設けられたフィンの回転軸と同軸の連動用回転軸（Ａ）と連動して回転運動する連動用回転軸（Ｂ）、及び該連動用回転軸（Ｂ）の回転速度を減速する減速機構がこの順に配置されていて、該減速機構により減速された回転運動がアタッチメント装着面と相対する側の先端部に配置された角質ケア部材に伝達される手段が設けられているアタッチメントであることを特徴とする、請求項１４に記載の多機能シャワー装置。
【発明の詳細な説明】
【技術分野】
【０００１】
本発明は、シャワーヘッド部分にアタッチメントが装着可能なシャワー装置、及びシャワー装置のシャワーヘッド部分にアタッチメントが装着された多機能シャワー装置に関する。特にシャワー装置のシャワーヘッド内に配置されたフィン用水室に設けられた、流水を利用して回転するフィンの回転運動を、フィン用水室の外表面に装着可能なアタッチメント側に伝達可能なシャワー装置、及びシャワー装置のシャワーヘッド部分に装着されるアタッチメントにより、マッサージ、ボディブラシ、角質ケア等の機能を発揮することが可能な多機能シャワー装置に関する。
【背景技術】
【０００２】
従来からマッサージ機能を有するシャワー装置として、流水により脈流水を発生させて、シャワーヘッドの噴射孔から噴射する方式、また流水により回転する水車を利用して振動を発生させるマッサージシャワーヘッドが知られている。例えば、下記特許文献１には、シャワー装置本体と、該本体内に設けられた流入水により回転する水車と、この水車の回転軸に保持された偏心回転体と、水車への給水方向を変更できる手段とを有する、振動可能なシャワー装置が開示されている。下記特許文献２には、流入水の流量を変えることなく水車への供給方向を変更できるノズルを有し、このノズルにより給水方向が変更されると水車の回転数が変更され、その結果振動数も変更するマッサージ装置が開示されている。
【０００３】
下記特許文献３には、洗髪時に頭髪マッサージができるマッサージ器として、水流により回転する水車と、該水車の回転を振動子の軸線方向の振動運動に変換する変換機構部を備え、振動子の振動によりマッサージ効果を発生させるマッサージ器が開示されている。下記特許文献４には、流水方向を変換させることなく脈流水を発生させることができるシャワーヘッドとして、流出側に設けられ回転体の回転により噴射孔を部分的に遮蔽可能な止水板を備えたシャワーヘッドが開示されている。また、下記特許文献５には、羽根車を良好に回転させてマッサージシャワー水を噴出するために、シャワーヘッドの吐出端側に配置される散水板の内側に水室を形成して、該水室内に羽根車を内装すると共に、該羽根車に渦巻き状の流水を当てるために水室の内周に環状に複数の流入口が形成されたマッサージシャワーヘッドが開示されている。
【先行技術文献】
【特許文献】
【０００４】
【特許文献１】特開２００６−２７１８４９号公報
【特許文献２】特開２００６−２７１８５０号公報
【特許文献３】特開平１１−４７２１１号公報
【特許文献４】特開平０７−１００４０８号公報
【特許文献５】特開平０５−１１５５２０号公報
【発明の概要】
【発明が解決しようとする課題】
【０００５】
上記特許文献１に開示されたシャワー装置はバイブレーター機能を有するシャワーで、バイブレーター機能とシャワー機能とを切り離すことはできない構造である。特許文献２に開示されたマッサージ装置およびシャワー装置は、マッサージ装置とシャワー装置はそれぞれ別個の装置である。特許文献３に開示されたマッサージ器は、マッサージ仕様、又はシャワー兼マッサージ仕様に切替可能な装置である。特許文献４及び特許文献５には脈流水によるマッサージシャワーヘッドが開示されている。しかし、上記特許文献１から５に開示されたシャワー装置は、そのいずれにおいてもシャワー機能とマッサージ機能のいずれかに切替えて使用することは困難である。本発明は、上記従来技術の問題点を解決するためになされたものであり、シャワー装置のシャワーヘッド内にシャワー用水室とフィン用水室をそれぞれ設けて、給水の切り替えにより、シャワー用水室に給水する際はシャワーとして使用し、該フィン用水室に給水する際はフィンの回転運動をフィン用水室の外表面に装着するアタッチメントに伝達してその回転運動により機能を発揮することが可能なシャワー装置、及び該シャワー装置に装着するアタッチメントにより、マッサージ機能、ボディブラシ機能、角質ケア機能等の機能を発揮できる多機能シャワー装置を提供することを目的とする。
【課題を解決するための手段】
【０００６】
本発明者は、上記従来技術に鑑みて、シャワー装置のシャワーヘッド内にシャワー用水室とフィン用水室をそれぞれ設けて、該フィン用水室側へ給水する際に回転するフィンの回転運動をフィン用水室の外表面に装着するアタッチメントに伝達すると、装着するアタッチメントにより、マッサージ機能、ボディブラシ機能、角質ケア機能等の機能が得られることを見出し、本発明を完成するに至った。即ち、本発明は、以下の（１）及び（２）に記載する発明を要旨とする。
【０００７】
（１）内部に給水路を有するグリップと、散水板が配置されたシャワー用水室及び該シャワー用水室の背面側に流水により回転可能なフィンが配置されたフィン用水室が設けられているシャワーヘッドとから構成され、該フィン用水室の外表面にはアタッチメントが装着可能な構造が設けられており、かつ、該フィン用水室側にはフィンの回転運動が装着されるアタッチメントに伝達可能な手段が設けられていることを特徴とする、シャワー装置（以下、第１の実施形態ということがある）。
【０００８】
（２）内部に給水路を有するグリップと、散水板が配置されたシャワー用水室及び該シャワー用水室の背面側に流水により回転可能なフィンが配置されたフィン用水室が設けられているシャワーヘッドとから構成されるシャワー装置に、該フィン用水室の外表面にアタッチメントが装着された多機能シャワー装置であって、該フィン用水室側にはフィンの回転運動が装着されたアタッチメント側に伝達可能な手段が設けられており、装着された該アタッチメントが、前記フィン用水室側から伝達された回転運動を利用して機能を発揮できるアタッチメントであることを特徴とする、多機能シャワー装置（以下、第２の実施形態ということがある）。
【発明の効果】
【０００９】
本発明のシャワー装置は、伝達されるフィンの回転運動を利用して機能を発揮できるアタッチメントが装着可能であるので、該シャワー装置にマッサージアタッチメント、ボディブラシアタッチメント、角質ケアアタッチメント等の種々のアタッチメントを装着することにより、１つのシャワー装置で種々の機能が発揮できることから装置のコンパクト化が図られる。また、フィンの回転に電気を使用しないので漏電を回避することが可能である。本発明の多機能シャワー装置は、シャワーヘッドに種々のアタッチメントを装着できるので、シャワー、マッサージ、ボディブラシ、又は角質ケア等の機能が容易に得られると共に、更にこれらのアタッチメントを着脱可能とすることによりこれらのアタッチメント間の取り換えが容易に行えるので、便宜性及び機能性に優れる。
【図面の簡単な説明】
【００１０】
【図１】シャワーヘッドにマッサージアタッチメントが装着された多機能シャワー装置の外観図である。
【図２】シャワーヘッドにボディブラシアタッチメントが装着された多機能シャワー装置の外観図である。
【図３】シャワーヘッドに角質ケアアタッチメントが装着された多機能シャワー装置の外観図である。
【図４】シャワーヘッドにマッサージアタッチメントを装着したときの断面図である。
【図５】シャワーヘッドにボディブラシアタッチメントを装着したときの断面図である。
【図６】シャワーヘッドに角質ケアアタッチメントを装着したときの断面図である。
【図７】グリップ、シャワーヘッド、及びボディブラシアタッチメントの分解斜視図である。
【図８】グリップの分解斜視図である。
【図９】シャワーヘッドの分解斜視図である。
【図１０】マッサージアタッチメントの分解斜視図である。
【図１１】ボディブラシアタッチメントの分解斜視図である。
【図１２】角質ケアアタッチメントの分解斜視図である。
【図１３】図４のＡ−Ａ線の断面図である。
【発明を実施するための形態】
【００１１】
以下に図１〜１３を参照して本発明の（１）シャワー装置（第１の実施形態）、及び（２）多機能シャワー装置（第２の実施形態）の具体例について説明するが、以下の説明は例示であるので、本発明は図１〜１３についての下記説明に限定されるものではない。
図１、２、３は、シャワー装置のシャワーヘッド２に、アタッチメントとしてマッサージアタッチメント４、ボディブラシアタッチメント５、角質ケアアタッチメント６がそれぞれ装着された、本発明の第２の実施形態である多機能シャワー装置１の外観図である。尚、本発明のシャワー装置は、図７に示すようにシャワーヘッド２とグリップ３から形成される。
【００１２】
図４〜６は、シャワーヘッド２に、マッサージアタッチメント４、ボディブラシアタッチメント５、角質ケアアタッチメント６をそれぞれ装着したときの断面図である。尚、図４〜６はいずれもアタッチメントが装着されているので本発明の第２の実施形態の例示になるが、これらのアタッチメントが装着される以前のシャワーヘッド２側は本発明の第１の実施形態の例示に相当する。図４に示すシャワーヘッド２側は、その外表面が主としてヘッド１４、散水板１１、及びフィンホルダー１９から形成されていて、その内部にはシャワー用水室２２、及びその背面側にフィン用水室２３が設けられている。シャワー用水室２２とフィン用水室２３は仕切壁部２４により仕切られている。シャワー用水室２２には、水流ガイド１３が配置され、散水板１１には散水孔２５が設けられている。
【００１３】
フィン用室２３は、図１３に示すようにフィンホルダー１９内に位置していて、フィン用ノズル２６から噴射される水流により回転するフィン１６が配置されている。フィン１６の散水板１１側の回転軸はベアリング１５で保持されている。また、アタッチメント側の回転軸には、フィンの回転運動を、アタッチメント側に伝達するための手段としてその先端部がアタッチメント側の連動用回転軸（Ｂ）の先端部と連動可能な連動用回転軸（Ａ）２０が設けられていて、アタッチメント側の回転軸は、ベアリング１７により保持されている。ヘッド１４と散水板１１間、ヘッド１４とフィンホルダー１９間をシール構造とするために、Ｏリング１２、Ｏリング１８がそれぞれ使用されている。
【００１４】
図４に示すマッサージアタッチメント４側は、その外表面は振動体ボディ３１、振動体ラバー３２、及び振動体ベース４４から形成されていて、振動体ボディ３１とヘッド１１間をシール構造にするために、Ｏリング４２が使用されている。マッサージアタッチメント４には、フィン用水室２３から突出するように設けられた連動用回転軸（Ａ）２０と連動して回転運動する連動用回転軸（Ｂ）４５、スプリング軸３６、回転スプリング３５、及び偏心回転体３４がこの順に回転可能に設けられている。偏心回転体３４により回転運動は振動運動に変換されて振動体ラバー３２に伝達される。回転スプリング３５にかかる負荷を少なくするためにその外周には固定スプリング４０が設けられている。偏心回転体３４の回転軸はベアリング３８で保持され、該ベアリング３８は振動体インナーケース３９で保持されている。
【００１５】
図５において、シャワーヘッド側の符号は、図４に示した符号と同じであるので省略する。図５に示すボディブラシアタッチメント５側においては、その外表面はブラシボディ６１とブラシベース５１から形成されていて、ブラシボディ６１とヘッド１４間をシール構造にするためにＯリング６２が使用されている。ボディブラシアタッチメント５には、前記フィン用水室２３から突出するように設けられた連動用回転軸（Ａ）２０の先端部と連動して回転運動する連動用回転軸（Ｂ）６３、連動用回転軸（Ｂ）６３の回転速度を減速するために遊星減速機構を利用した太陽ギア５９と遊星ギア５６と内歯ギアブッシュ５５、及び回転ベース５４がこの順に設けられている。連動用回転軸（Ｂ）６３の回転速度は、減速機構により回転ベース５４の回転速度に減速され、該回転ベース５４の回転は、ブラシベース５１に伝達される。
【００１６】
図６において、シャワーヘッド側の符号は図４で示した符号と同じであるので省略する。図６に示す角質ケアアタッチメント６側は、その外表面は角質ケアボディ８４、軽石カバー９３、軽石ベース９２、軽石７１から形成されていて、角質ケアボディ８４とヘッド１４間をシール構造にするためにＯリング８５が使用されている。角質ケアアタッチメント６には、前記フィン用水室２３から突出するように設けられた連動用回転軸（Ａ）２０と連動して回転運動する連動用回転軸（Ｂ）８６、該連動用回転軸（Ｂ）８６の回転速度を減速するために遊星減速機構を利用した太陽ギア７９と遊星ギア８２と内歯ギアブッシュ７８、及び回転ベース７７がこの順に設けられている。連動用回転軸（Ｂ）８６の回転速度は、該減速機構により回転ベース７７の回転速度に減速され、該回転ベース７７の回転は、軽石７１に伝達される。
【００１７】
図７は、グリップ、シャワーヘッド、及びボディブラシアタッチメントの分解斜視図である。グリップ３はシャワーヘッド２にねじ込み等により装着され、流水に対するシール構造はフィン用水流入口２９（又はシャワー用水流入口２８）と給水路９８の先端部（図７に示す給水路の下流側先端部）間にＯリングを配置すること等によりに達成できる。ボディブラシアタッチメント５等のアタッチメントのシャワーヘッド２への装着は、アタッチメント側のジョイント用凸部１００を、シャワーヘッド側のジョイント用凹部９９に差し込んで周方向に回転させることにより装着できる。図８は、グリップ３の分解斜視図である。グリップ３の表面には滑り防止用のグリップラバー９７が相対する２面に設けられている。グリップの先端部にはジョイント９６が配置され、該ジョイント９６内にはＯリング９５、グリップジョイント９４、シールゴム９３、シールゴムホルダー９２、ネジ９１がこの順に組み込まれる。ジョイント９６のグリップ本体側への装着はねじ込み等により行うことができる。グリップジョイント９４には貫通孔と不貫通孔（メクラ孔）が相対する位置に設けられていて、グリップジョイント９４をジョイント９６内に組み込んだ状態で、ジョイント９６を周方向に回転させて、貫通孔をシャワーヘッド２側から突出しているシャワー用水流入口２８、又はフィン用流入口２９のいずれかに合わせた後に、ジョイント９６をシャワーヘッド２側にねじ込み等により装着できる。グリップ３における、給水路９８からの流水をシャワー用水室への流入口又はフィン用水室への流入口のいずれかへの切り替えは、グリップ３をシャワーヘッド２から取り外した状態で、上記の通り、ジョイント９６を周方向に回転させて、貫通孔をシャワーヘッド２側から突出しているシャワー用水流入口２８、又はフィン用流入口２９のいずれかに合わせた後に、ジョイント９６をシャワーヘッド２側にねじ込みすることにより行うことができる。
【００１８】
図９〜１２は、シャワーヘッド、マッサージアタッチメント、ボディブラシアタッチメント、角質ケアアタッチメントのそれぞれの分解斜視図である。図９のシャワーヘッドの分解斜視図に示すように、シャワーヘッド２は、散水板１１側からＯリング１２、水流ガイド１３、ヘッド１４、ベアリング１５、フィン１６、ベアリング１７、Ｏリング１８、フィンホルダー１９、連動用回転軸（Ａ）２０、ネジ２１の順に組み込まれる。
【００１９】
図１０のマッサージアタッチメントの分解斜視図に示すように、マッサージアタッチメント４は、振動体ボディ３１、振動体ラバー３２、振動体インナーカバー３３、偏心回転体３４、回転スプリング３５、スプリング軸３６、ネジ３７、ベアリング３８、振動体インナーケース３９、固定スプリング４０、固定スプリングベース４１、Ｏリング４２、ベアリング４３、振動体ベース４４、連動用回転軸（Ｂ）４５、ネジ４６の順に組み込まれる。図１１のボディブラシアタッチメントの分解斜視図に示すように、ボディブラシアタッチメント５は、ブラシベース５１、ネジ５２、太陽ギアブッシュ５３、回転ベース５４、内歯ギアブッシュ５５、遊星ギア５６、遊星ギアブッシュ５７、ネジ５８、太陽ギア５９、ベアリング６０、ブラシボディ６１、Ｏリング６２、連動用回転軸（Ｂ）６３、ネジ６４の順に組み込まれる。
【００２０】
図１２の角質ケアアタッチメントの分解斜視図に示すように、角質ケアアタッチメント６は、軽石７１、軽石ベース７２、軽石カバー７３、軽石ベースブッシュ７４、ネジ７５、太陽ギアブッシュ７６、回転ベース７７、内歯ギアブッシュ７８、遊星ギア７９、遊星ギアブッシュ８０、ネジ８１、太陽ギア８２、ベアリング８３、角質ケアボディ８４、Ｏリング８５、連動用回転軸（Ｂ）８６、ネジ８７の順に組み立てられる。図１３は、図４のＡ−Ａ線の断面図、すなわち、図４におけるシャワーヘッド２のフィン用水室２３が配置されている部分の断面図である。フィン用水流入口２９から流入した流水は、フィン用ノズル２６から、フィン１６の羽根部に噴出されてフィン１６を回転させ、その後ドレン流出口２７から排出される。水流によりフィン１６を効率よく回転させるためにフィンホルダー１９が配置されている。以下、本発明のシャワー装置（第１の実施形態）と、第２の実施形態について説明する。
【００２１】
〔１〕シャワー装置（第１の実施形態）
本発明の第１の実施形態である、シャワー装置は、内部に給水路を有するグリップと、散水板が配置されたシャワー用水室及び該シャワー用水室の背面側に流水により回転可能なフィンが配置されたフィン用水室が設けられているシャワーヘッドとから構成され、
該フィン用水室の外表面にはアタッチメントが装着可能な構造が設けられており、
かつ、該フィン用水室側にはフィンの回転運動が装着されるアタッチメントに伝達可能な手段が設けられていることを特徴とする。
【００２２】
（１）シャワー装置
本発明のシャワー装置は、内部に給水路を有するグリップと、散水板が配置されたシャワー用水室及び該シャワー用水室の背面側に流水により回転可能なフィンが配置されたフィン用水室が設けられているシャワーヘッドとから構成される。
【００２３】
（１−１）グリップ
グリップは、図７．８等に例示するように、多機能シャワー装置を使用するときの保持部としての機能と、給水路９８によるシャワーヘッド２への給水機能とを有している。更にグリップは、図８に示すように、シャワーヘッド２への給水路９８をシャワー用水流入口２８又はフィン用水流入口２９へ切り替えする機能を有することが好ましい。該切り替えは、例えば上記の通りに行うことができる。グリップへの給水用パイプとグリップ３間のシール構造としては、例えばＯリング１０１を使用することができる。
【００２４】
（１−２）シャワーヘッド
図４〜６に示すように、シャワーヘッド２にはシャワー用水室２２とフィン用水室２３が設けられていて、これらはヘッド１１の一部である仕切り壁部２４により仕切られている。
（ａ）シャワー用水室
シャワー用水室２２は、シャワー用水流入口２８から流入した流水を散水板１１に設けられた散水孔２５から噴出させることにより、シャワー機能を発揮する。尚、散水孔２５から噴出する流水の均一化を図るために、水流ガイド１３を設けることが望ましい。
【００２５】
（ｂ）フィン用水室
フィン用水室は、図４、１３に示すように、フィンに回転運動を発生する機能と、その外表面にアタッチメントを装着可能な機能と、装着するアタッチメントにフィンの回転運動を伝達する機能とを有している。更に、フィン用水室の外表面はアタッチメントを着脱可能な構造とすることが好ましく、このような構造とすることにより、１つのシャワーヘッドに種々のアタッチメントを交換して使用することが可能になる。フィン用水室は、図４、１３に示すように、フィン用水流入口２９から流入した流水がフィン用ノズル２６からフィンの羽根部に噴射されて、フィンに回転運動を与えた後に、ドレン流出口２７から排出可能な構造とすることができる。
【００２６】
フィン用水室の外表面には、アタッチメントが装着可能な構造、好ましくは着脱可能な構造が設けられている。例えば図７に示すように、フィン用水室の外表面側にジョイント用凹部９９を設け、アタッチメント側にジョイント用凸部１００を設けておき、該ジョイント用凸部１００をジョイント用凹部９９に差し込んだ後にアタッチメントを周方向に回転することにより、シャワーヘッド２にアタッチメントを装着することが可能になり、逆の操作により脱着することが可能になる。また、フィン用水室側には、装着するアタッチメント側に回転運動を伝達する手段として、フィン用水室から突出するように配置された、フィンの回転軸と同軸の連動用回転軸（Ａ）を設けることが好ましい。フィン用水室側から、装着するアタッチメント側に回転運動を伝達する手段の具体例としては、図４〜６に示すように連動用回転軸（Ａ）の先端部の形状を、装着するアタッチメント側の連動用回転軸（Ｂ）の先端部と嵌合するように凹凸形状を設けることができる。
【００２７】
（２）装着されるアタッチメント
本発明のシャワー装置に装着されるアタッチメントは、フィン用水室側から伝達される回転運動を利用して、機能を発揮できるアタッチメントであれば特に限定されないが、具体例としてはフィン用水室側から伝達された回転運動よって機能を発揮できるアタッチメント、前記フィン用水室側から伝達された回転運動を変換して得られる振動運動によって機能を発揮できるアタッチメント等が挙げられる。また、より具体的には、図４〜６示すようにシャワー装置に装着できるアタッチメントとしては、振動運動によって機能を発揮するマッサージアタッチメント、及び回転運動よって機能を発揮するボディブラシアタッチメントもしくは角質ケアアタッチメントが挙げられる。
【００２８】
〔２〕多機能シャワー装置（第２の実施形態）
本発明の第２の実施形態である、多機能シャワー装置は、内部に給水路を有するグリップと、散水板が配置されたシャワー用水室及び該シャワー用水室の背面側に流水により回転可能なフィンが配置されたフィン用水室が設けられているシャワーヘッドとから構成されるシャワー装置に、該フィン用水室の外表面にアタッチメントが装着された多機能シャワー装置であって、
該フィン用水室側にはフィンの回転運動が装着されたアタッチメント側に伝達可能な手段が設けられており、装着された該アタッチメントが、前記フィン用水室側から伝達された回転運動を利用して機能を発揮できるアタッチメントであることを特徴とする。
【００２９】
本発明の多機能シャワー装置は、第１の実施形態であるシャワー装置に、フィン用水室側から伝達される回転運動を利用して機能を発揮できるアタッチメントがフィン用水室の外表面に装着された装置である。
（１）シャワー装置
シャワー装置は、図４〜７、１３に示す通り、内部に給水路を有するグリップと、散水板が配置されたシャワー用水室及び該シャワー用水室の背面側に流水により回転可能なフィンが配置されたフィン用水室が設けられているシャワーヘッドとから構成されるが、その構造は、前記第１の実施形態で記載したシャワー装置と同様である。
【００３０】
（１−１）グリップ
グリップは、図７．８等に例示するように、多機能シャワー装置を使用するときの保持部としての機能と、給水路９８によるシャワーヘッド２への給水機能とを有している。更にグリップは、図８に示すように、シャワーヘッド２への給水路９８をシャワー用水流入口２８又はフィン用水流入口２９へ切り替えする機能を有することが好ましい。該切り替えは、例えば上記の通りに行うことができる。グリップへの給水用パイプとグリップ３間のシール構造としては、例えばＯリング１０１を使用することができる。
【００３１】
（１−２）シャワーヘッド
図４〜６に示すように、シャワーヘッド２にはシャワー用水室２２とフィン用水室２３が設けられていて、これらはヘッド１１の一部である仕切り壁部２４により仕切られている。
（ａ）シャワー用水室
シャワー用水室２２は、シャワー用水流入口２８から流入した流水が散水板１１に設けられた散水孔２５から噴出させることにより、シャワー機能を発揮する。尚、散水孔２５から噴出する流水の均一化を図るために、水流ガイド１３を設けることが望ましい。
【００３２】
（ｂ）フィン用水室
フィン用水室は、図４、１３に示すように、フィンに回転運動を発生する機能、その外表面にアタッチメントを装着する構造、及び装着するアタッチメントにフィンの回転運動を伝達する機能を有している。更に、フィン用水室の外表面はアタッチメントを着脱可能な構造とすることが好ましく、このような構造とすることにより、１つのシャワーヘッドに種々のアタッチメントを交換して使用することが可能になる。フィン用水室は、図４、１３に示すように、フィン用水流入口２９からり流入した流水がフィン用ノズル２６からフィンの羽根部に噴射されて、フィンに回転運動を与えた後に、ドレン流出口２７から排出可能な構造とすることができる。
【００３３】
フィン用水室の外表面には、アタッチメントが装着可能な構造、好ましくは着脱可能な構造が設けられている。例えば図７に示すように、フィン用水室の外表面側にジョイント用凹部９９を設け、アタッチメント側にジョイント用凸部１００を設けておき、該ジョイント用凸部１００をジョイント用凹部９９に差し込んだ後にアタッチメントを周方向に回転することにより、シャワーヘッド２にアタッチメントを装着することが可能になり、逆の操作により脱着することが可能になる。また、フィン用水室側には、装着するアタッチメント側に回転運動を伝達する手段として、フィン用水室から突出するように配置された、フィンの回転軸と同軸の連動用回転軸（Ａ）を設けることが好ましい。フィン用水室側から、装着するアタッチメント側に回転運動を伝達する手段の具体例としては、図４〜６に示すように連動用回転軸（Ａ）の先端部の形状を、装着するアタッチメント側の連動用回転軸（Ｂ）の先端部と嵌合するように凹凸形状を設けることができる。
【００３４】
（２）アタッチメント
前記シャワー装置に装着できるアタッチメントは、フィン用水室側から伝達された回転運動を利用して機能を発揮できるアタッチメントであれば特に限定されないが、伝達された回転運動よって機能を発揮できるアタッチメント、及び伝達された回転運動を変換して得られる振動運動によって発揮できるアタッチメントが好ましい。該アタッチメントの具体例としては、後述する振動運動によって機能を発揮するマッサージアタッチメント、又は回転運動よって機能を発揮するボディブラシアタッチメントもしくは角質ケアアタッチメントが挙げられる。アタッチメントにはフィン用水室側から伝達された回転運動を利用して機能を発揮するために、連動用回転軸（Ａ）と連動する連動用回転軸（Ｂ）が設けられていることが好ましい。以下に、これらのアタッチメントについて説明する。
【００３５】
（２−１）マッサージアタッチメント
マッサージアタッチメントは、前記フィン用水室の外表面に装着可能であり、フィン用水室側に設けられた連動用回転軸から回転運動を伝達される手段と該回転運動が振動運動に変換される手段を有していて、かつ該振動により人体等に対してマッサージ効果が発揮できるアタッチメントである。該マッサージアタッチメントの具体例としては、少なくとも前記フィン用水室側から突出するように設けられたフィンの回転軸と同軸の連動用回転軸（Ａ）に連動して回転運動する連動用回転軸（Ｂ）、回転スプリング、及び偏心回転体がこの順に回転可能に設けられていて、かつ該偏心回転体により回転運動が振動運動に変換され、更に該振動運動がアタッチメント装着面と相対する側の先端部に配置されたマッサージ部材に伝達される振動機構が備えられているアタッチメントが挙げられる。尚、マッサージアタッチメントにおいては、前記フィンで発生する回転運動を減速させることなく、偏心回転体により振動運動に変換してマッサージ機能を発生させることが可能であるが、必要に応じて、後述するボディブラシアタッチメントに記載するような回転速度を減速させる減速機構、又は増速機構を利用して回転速度を変更させた後に、振動運動に変換することも可能である。
【００３６】
以下にマッサージアタッチメントの具体例を図４、１０を用いて説明する。マッサージアタッチメントにおける、フィン用水室側の回転運動を連動用回転軸（Ａ）を介して、偏心回転体に伝達する構造は、図１０に示すように、連動用回転軸（Ｂ）４５、振動体ベース４４、ベアリング４３、Ｏリング４２、固定スプリングベース４１、固定スプリング４０、振動体インナーケース３９、ベアリング３８、ネジ３７、スプリング軸３６、回転スプリング３５、偏心回転体３４をほぼこの順に組み込むことにより形成できる。回転スプリング３５を補強するためにその外周には固定スプリング４０を配置して回転スプリング３５にかかる負荷を減少させることが好ましい。これらの部品において、強度が必要とされる部分は耐食性を有する金属部材又は強化プラスチック、偏心回転体３４は金属部材、摺動性、耐摩耗性等が必要とされる部品はポリアセタール樹脂等のプラスチック部材を使用することが望ましい。
【００３７】
また、前記偏心回転体３４において回転運動を振動運動に変換して、マッサージ部に伝達する振動機構は、偏心回転体３４、振動体インナーカバー３３、振動体ラバー３２、振動体ボディ３１をほぼこの順に組み込むことにより形成できる。これらの部品において、マッサージ機能を発揮する振動体ラバー３２は弾性体、その他のある程度の強度が必要とされる部品は耐食性を有する金属、又はある程度の強度を有する金属部材を使用することが望ましい。
【００３８】
（２−２）ボディブラシアタッチメント
ボディブラシアタッチメントは、前記フィン用水室の外表面に装着可能であり、フィン用水室側に設けられた連動用回転軸から回転運動を伝達される手段を有しており、かつ該回転運動に連動するブラシ部材等により人体等に対してボディブラシ効果が発揮できるアタッチメントである。該マッサージアタッチメントの具体例としては、少なくとも前記フィン用水室側から突出するように設けられたフィンの回転軸と同軸の連動用回転軸（Ａ）と連動して回転運動する連動用回転軸（Ｂ）、及び該連動用回転軸（Ｂ）の回転速度を減速する減速機構がこの順に設けられていて、かつ該減速機構により減速された回転運動がアタッチメント装着面と相対する側の先端部に配置されたボディブラシ部材に伝達される回転機構が備えられているアタッチメントが挙げられる。尚、ボディブラシアタッチメントにおいては、前記フィンで発生する回転速度が比較的高速の場合には遊星歯車機構等を使用して、回転速度を減速させた後にボディブラシ部材に伝達されることが望ましいが、比較的高速ではない場合には上記減速ギアのような減速手段を用いないでボディブラシ部材に伝達することも可能である。
【００３９】
以下にボディブラシアタッチメントの具体例を図５、１１を用いて説明する。
ボディブラシアタッチメントは、フィン用水室側の回転運動を連動用回転軸（Ａ）を介して、減速ギアである遊星ギアに伝達する構造は、ネジ６４、連動用回転軸（Ｂ）６３、Ｏリング６２、ブラシボディ６１、ベアリング６０、太陽ギア５９、ネジ５８、遊星ギアブッシュ５７、遊星ギア５６をほぼこの順に組み込んで形成することができる。また、太陽ギア５９の回転を、遊星歯車機構を利用してブラシベース５１に伝達する構造は、遊星ギア５６、内歯ギアブッシュ５５、回転ベース５４、太陽ギアブッシュ５３、ネジ５２、ブラシベース５１をほぼこの順に組み込んで形成することができる。
【００４０】
これらの部品において、機械的強度が必要とされる部品には耐食性を有する金属、又は強化プラスチック樹脂を使用することが好ましく、摺動性、耐摩耗性が必要とされる部品にはポリアセタール等のプラスチック樹脂を使用することが好ましい。ブラシベース５１のブラシ部材は弾力性を有する合成樹脂、動物の毛等を使用することができる。上記遊星歯車機構を利用する場合の減速比は１／３〜１／８程度が好ましい。遊星歯車機構を利用すると少ない段数で大きな減速比が得られると共に、大きなトルクが伝達できる。
【００４１】
（２−３）角質ケアアタッチメント
角質ケアアタッチメントは、前記フィン用水室の外表面に装着可能であり、フィン用水室側に設けられた連動用回転軸から回転運動を伝達される手段を有しており、かつ該回転運動に連動する軽石部材ブラシベース等により人体等に対して角質ケア効果が発揮できるアタッチメントである。該角質ケアアタッチメントの具体例は、少なくとも前記フィン用水室側から突出するように設けられたフィンの回転軸と同軸の連動用回転軸（Ａ）と連動して回転運動する連動用回転軸（Ｂ）、及び減速機構がこの順に設けられていて、該減速機構により減速された回転運動がアタッチメント装着面と相対する側の先端部に配置された角質ケア部材に伝達される回転機構が備えられているアタッチメントである。尚、角質ケアアタッチメントにおいては、前記フィンで発生する回転速度が比較的高速の場合には遊星歯車機構等を使用して、回転速度を減速させた後に角質ケア部材に伝達されることが望ましいが、比較的高速ではない場合には上記減速ギアのような減速手段を用いないで角質ケア部材に伝達することも可能である。
【００４２】
以下に角質ケアアタッチメントの具体例を図６，１２を用いて説明する。
角質ケアアタッチメントにおける、フィン用水室側の回転運動を連動用回転軸（Ａ）を介して、減速ギアである遊星ギアに伝達する構造は、ネジ８７、連動用回転軸（Ｂ）８６、Ｏリング８５、角質ケアボディ８４、ベアリング８３、太陽ギア８２、ネジ８１、遊星ギアブッシュ８０、遊星ギア７９、内歯ギアブッシュ７８、回転ベース７７をほぼこの順に組み込むことにより形成することができる。また、太陽ギア８２の回転を、遊星歯車機構を利用して減速後に軽石７１に伝達する構造は、回転ベース７７、太陽ギアブッシュ７６、ネジ７５、軽石ベースブッシュ７４、軽石カバー７３、軽石ベース７２、軽石７１をほぼこの順に組み込むことにより形成することができる。
【００４３】
これらの部品において、機械的強度が必要とされる部品には耐食性を有する金属、又は強化プラスチック樹脂を使用することが好ましく、摺動性、耐摩耗性等が必要とされる部品にはポリアセタール等のプラスチック樹脂を使用することが好ましい。軽石７１は天然の軽石、又は合成品を成形して使用できる。上記遊星歯車機構を利用する場合の減速比は１／３〜１／８程度が好ましい。遊星歯車機構を利用すると少ない段数で大きな減速比が得られると共に、大きなトルクが伝達できる。
【符号の説明】
【００４４】
１  多機能シャワー装置
２  シャワーヘッド
３  グリップ
４  マッサージアタッチメント
５  ボディブラシアタッチメント
６  角質ケアアタッチメント
１１  散水板
１３  水流ガイド
１４  ヘッド
１６  フィン
１９  フィンホルダー
２０  連動用回転軸（Ａ）
２２  シャワー用水室
２３  フィン用水室
２４  仕切壁部
２５  散水孔
２７  ドレン流出口
２８  シャワー用水流入口
２９  フィン用水流入口
３１  振動体ボディ
３２  振動体ラバー
３３  振動体インナーカバー
３４  偏心回転体
３５  回転スプリング
３６  スプリング軸
３９  振動体インナーケース
４０  固定スプリング
４１  固定スプリングベース
４４  振動体ベース
４５  連動用回転軸（Ｂ）
５１  ブラシベース
５３  太陽ギアブッシュ
５４  回転ベース
５５  内歯ギアブッシュ
５６  遊星ギア
５７  遊星ギアブッシュ
５９  太陽ギア
６１  ブラシボディ
６３  連動用回転軸（Ｂ）
７１  軽石
７２  軽石ベース
７３  軽石カバー
７４  軽石ベースブッシュ
７６  太陽ギアブッシュ
７７  回転ベース
７８  内歯ギアブッシュ
７９  遊星ギア
８０  遊星ギアブッシュ
８２  太陽ギア
８４  角質ケアボディ
８６  連動用回転軸（Ｂ）
９２  シールゴムホルダー
９３  シールゴム
９４  グリップジョイント
９６  ジョイント
９７  グリップラバー
９８  給水路
９９  ジョイント用凹部
１００  ジョイント用凸部
【図１】
2018075070.tif 000003
【図２】
2018075070.tif 000004
【図３】
2018075070.tif 000005
【図４】
2018075070.tif 000006
【図５】
2018075070.tif 000007
【図６】
2018075070.tif 000008
【図７】
2018075070.tif 000009
【図８】
2018075070.tif 000010
【図９】
2018075070.tif 000011
【図１０】
2018075070.tif 000012
【図１１】
2018075070.tif 000013
【図１２】
2018075070.tif 000014
【図１３】
2018075070.tif 000015
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
内部に給水路を有するグリップと、
散水板が配置されたシャワー用水室及び該シャワー用水室の背面側に流水により回転可能なフィンが配置されたフィン用水室が設けられているシャワーヘッドとから構成され、
該フィン用水室の外表面にはアタッチメントが装着可能な構造が設けられており、
かつ、該フィン用水室側にはフィンの回転運動が装着されるアタッチメントに回転運動を伝達する手段として、フィン用水室から突出するように配置された、フィンの回転軸と同軸の連動用回転軸（Ａ）が設けられていることを特徴とする、シャワー装置。
【請求項２】
前記フィン用水室の外表面はアタッチメントが着脱可能な構造であることを特徴とする、請求項１に記載のシャワー装置。
【請求項３】
前記グリップには、シャワー用水室への流入口又はフィン用水室への流入口のいずれかへの切り替え手段が設けられていることを特徴とする、請求項１又は２に記載のシャワー装置。
【請求項４】
前記シャワーヘッドに配置されたシャワー用水室とフィン用水室とは仕切壁により仕切られていて、該シャワー用水室は、シャワー用水室への流入口から流入した流水が散水板の散水孔から噴出可能な構造であり、
該フィン用水室は、フィン用水室への流入口から流入した流水がフィン用ノズルからフィンの羽根部に噴射されて、フィンに回転運動を与えた後に、ドレン流出口から排出可能な構造である、
ことを特徴とする、請求項１から３のいずれか１項に記載のシャワー装置。
【請求項５】
前記装着されるアタッチメントが前記フィン用水室側から伝達された回転運動を利用して機能を発揮できるアタッチメントであることを特徴とする、請求項１から４のいずれか１項に記載のシャワー装置。
【請求項６】
前記装着されるアタッチメントが、前記フィン用水室側から伝達された回転運動によって機能を発揮できるアタッチメント、又は前記フィン用水室側から伝達された回転運動を変換して得られる振動運動によって機能を発揮できるアタッチメントであることを特徴とする、請求項１から５のいずれか１項に記載のシャワー装置。
【請求項７】
内部に給水路を有するグリップと、散水板が配置されたシャワー用水室及び該シャワー用水室の背面側に流水により回転可能なフィンが配置されたフィン用水室が設けられているシャワーヘッドとから構成されるシャワー装置に、該フィン用水室の外表面にアタッチメントが装着された多機能シャワー装置であって、
該フィン用水室側にはフィンの回転運動が装着されたアタッチメント側に回転運動を伝達する手段として、フィン用水室から突出するように配置された、フィンの回転軸と同軸の連動用回転軸（Ａ）が設けられており、
装着されたアタッチメント側には連動用回転軸（Ａ）と連動する連動用回転軸（Ｂ）が設けられていて、該アタッチメントが、前記フィン用水室側から伝達された回転運動を利用して機能を発揮できるアタッチメントであることを特徴とする、多機能シャワー装置。
【請求項８】
前記フィン用水室の外表面はアタッチメントが着脱可能な構造であることを特徴とする、
請求項７に記載の多機能シャワー装置。
【請求項９】
前記グリップには、シャワー用水室への流入口又はフィン用水室への流入口のいずれかへの切り替え手段が設けられていることを特徴とする、請求項７又は８に記載の多機能シャワー装置。
【請求項１０】
前記シャワーヘッドに配置されたシャワー用水室とフィン用水室とは仕切壁により仕切られていて、該シャワー用水室は、シャワー用水室への流入口から流入した流水が散水板の散水孔から噴出可能な構造であり、
該フィン用水室は、フィン用水室への流入口から流入した流水がフィン用ノズルからフィンの羽根部に噴射されて、フィンに回転運動を与えた後に、ドレン流出口から排出可能な構造である、
ことを特徴とする、請求項７から９のいずれか１項に記載の多機能シャワー装置。
【請求項１１】
前記アタッチメントが、前記フィン用水室側から伝達された回転運動によって機能を発揮できるアタッチメント、又は前記フィン用水室側から伝達された回転運動を変換して得られる振動運動によって機能を発揮できるアタッチメントであることを特徴とする、請求項７から１０のいずれか１項に記載の多機能シャワー装置。
【請求項１２】
前記フィン用水室側から伝達された回転運動によって機能を発揮できるアタッチメントがボディブラシアタッチメントもしくは角質ケアアタッチメント、又は前記フィン用水室側から伝達された回転運動を変換して得られる振動運動によって機能を発揮できるアタッチメントがマッサージアタッチメントであることを特徴とする、請求項１１に記載の多機能シャワー装置。
【請求項１３】
前記マッサージアタッチメントは、少なくとも前記フィン用水室側から突出するように設けられたフィンの回転軸と同軸の連動用回転軸（Ａ）に連動して回転運動する連動用回転軸（Ｂ）、回転スプリング、及び偏心回転体がこの順に回転可能に配置されていて、かつ該偏心回転体により回転運動が振動運動に変換され、更に該振動運動がアタッチメント装着面と相対する側の先端部に配置されたマッサージ部材に伝達される手段が設けられているアタッチメントであることを特徴とする、請求項１２に記載の多機能シャワー装置。
【請求項１４】
前記ボディブラシアタッチメントは、少なくとも前記フィン用水室側から突出するように設けられたフィンの回転軸と同軸の連動用回転軸（Ａ）と連動して回転運動する連動用回転軸（Ｂ）、及び該連動用回転軸（Ｂ）の回転速度を減速する減速機構がこの順に配置されていて、かつ該減速機構により減速された回転運動がアタッチメント装着面と相対する側の先端部に配置されたボディブラシ部材に伝達される手段が設けられているアタッチメントであることを特徴とする、請求項１２に記載の多機能シャワー装置。
【請求項１５】
前記角質ケアアタッチメントは、少なくとも前記フィン用水室側から突出するように設けられたフィンの回転軸と同軸の連動用回転軸（Ａ）と連動して回転運動する連動用回転軸（Ｂ）、及び該連動用回転軸（Ｂ）の回転速度を減速する減速機構がこの順に配置されていて、該減速機構により減速された回転運動がアタッチメント装着面と相対する側の先端部に配置された角質ケア部材に伝達される手段が設けられているアタッチメントであることを特徴とする、請求項１２に記載の多機能シャワー装置。
【手続補正２】
【補正対象書類名】明細書
【補正対象項目名】０００７
【補正方法】変更
【補正の内容】
【０００７】
（１）内部に給水路を有するグリップと、散水板が配置されたシャワー用水室及び該シャワー用水室の背面側に流水により回転可能なフィンが配置されたフィン用水室が設けられているシャワーヘッドとから構成され、該フィン用水室の外表面にはアタッチメントが装着可能な構造が設けられており、かつ、該フィン用水室側にはフィンの回転運動が装着されるアタッチメントに回転運動を伝達する手段として、フィン用水室から突出するように配置された、フィンの回転軸と同軸の連動用回転軸（Ａ）設けられていることを特徴とする、シャワー装置（以下、第１の実施形態ということがある）。
【手続補正３】
【補正対象書類名】明細書
【補正対象項目名】０００８
【補正方法】変更
【補正の内容】
【０００８】
（２）内部に給水路を有するグリップと、散水板が配置されたシャワー用水室及び該シャワー用水室の背面側に流水により回転可能なフィンが配置されたフィン用水室が設けられているシャワーヘッドとから構成されるシャワー装置に、該フィン用水室の外表面にアタッチメントが装着された多機能シャワー装置であって、該フィン用水室側にはフィンの回転運動が装着されたアタッチメント側に回転運動を伝達する手段として、フィン用水室から突出するように配置された、フィンの回転軸と同軸の連動用回転軸（Ａ）が設けられており、装着されたアタッチメント側には連動用回転軸（Ａ）と連動する連動用回転軸（Ｂ）が設けられていて、該アタッチメントが、前記フィン用水室側から伝達された回転運動を利用して機能を発揮できるアタッチメントであることを特徴とする、多機能シャワー装置（以下、第２の実施形態ということがある）。